(57)【要約】本発明は、携帯型ワイヤレスデバイスに情報を表示するための方法及び装置を提供する。これは、埋め込まれたデータを含む光信号を受信して、当該信号を電力に変換することによって達成されることができる。これは更に、前記埋め込まれたデータを復調し、前記埋め込まれたデータに応答して情報を記憶装置のデータベースから取得し、前記情報をディスプレイユニットに表示することによって達成されることもできる。
2005524335.tif 000002
【特許請求の範囲】
【請求項１】
−埋め込まれたデータを含む光信号を受信して、当該信号を電力に変換するためのパワー変換ユニットと、
−前記パワー変換ユニットに動作的に接続された中央制御ユニットと、
−前記埋め込まれたデータを復調するように構成され前記中央制御ユニットに動作的に接続された光復調ユニットと、
−前記埋め込まれたデータに応答して情報をデータベースから取得するように構成され前記中央制御ユニットに動作的に接続されたデータベース記憶デバイスと、
−前記情報を表示するように構成され前記中央制御ユニットに動作的に接続されたディスプレイユニットと、
を有する携帯型ワイヤレスデバイス。
【請求項２】
請求項１に記載の携帯型ワイヤレスデバイスにおいて、前記パワー変換ユニットは、光源を受信して変換するための少なくとも１つの光変換デバイスを含む、デバイス。
【請求項３】
請求項２に記載の携帯型ワイヤレスデバイスにおいて、前記光変換デバイスは太陽電池である、デバイス。
【請求項４】
請求項１に記載の携帯型ワイヤレスデバイスにおいて、前記パワー変換ユニットは、少なくとも１つのエネルギー貯蔵デバイスを含む、デバイス。
【請求項５】
請求項３に記載の携帯型ワイヤレスデバイスにおいて、前記エネルギー貯蔵デバイスは、少なくとも１つのキャパシタ又は少なくとも１つの電池を含む、デバイス。
【請求項６】
請求項１に記載の携帯型ワイヤレスデバイスにおいて、前記中央制御ユニットは、前記光復調ユニット、前記データベース記憶デバイス及び前記ディスプレイユニットを制御する、デバイス。
【請求項７】
請求項１に記載の携帯型ワイヤレスデバイスにおいて、前記光検出／復調ユニットは、光受信器デバイス及び信号復調器デバイスを含む、デバイス。
【請求項８】
請求項１に記載の構造において、前記ディスプレイユニットは、少なくとも１つの発光ポリマーディスプレイスクリーン及び少なくとも１つの関連したドライバ回路を含む、構造。
【請求項９】
携帯型ワイヤレスデバイスに情報を表示するための方法において、
−埋め込まれたデータを含む光信号を受信するステップと、
−前記信号を電力に変換するステップと、
−前記埋め込まれたデータを復調するステップと、
−前記埋め込まれたデータに応答して情報を記憶デバイスのデータベースから取得するステップと、
−前記情報をディスプレイユニットに表示するステップと、
を有する方法。
【請求項１０】
請求項９に記載の方法において、更に、前記電力を貯蔵するステップを有する方法。
【請求項１１】
請求項１０に記載の方法において、前記変換された電力は、電池又はキャパシタに貯蔵される、方法。
【請求項１２】
請求項９に記載の方法において、前記光信号は直流電力信号に変換される、方法。
【請求項１３】
請求項９に記載の方法において、前記埋め込まれたデータはデータ取得命令を含む、方法。
【請求項１４】
請求項９に記載の方法において、前記記憶デバイスから情報を取得するステップは、情報フォーマットの有効性を確認するステップを更に有する、方法。
【請求項１５】
携帯型ワイヤレスデバイスに情報を表示するためのシステムにおいて、
−埋め込まれたデータを含む光信号を受信するための手段と、
−前記信号を電力に変換するための手段と、
−前記埋め込まれたデータを復調するための手段と、
−埋め込まれたデータを含む光信号に応答して情報を記憶デバイスのデータベースから取得するための手段と、
−情報をディスプレイスクリーンに表示するための手段と、
を有するシステム。
【発明の詳細な説明】
【技術分野】
【０００１】
本発明は、一般に、大面積エレクトロニクス及び照明システムの使用に関する。本発明は、具体的には、ワイヤレスデバイスに情報を表示する方法に関する。
【背景技術】
【０００２】
多くの場合、情報を多くの散在した人々に又は人のよく通る場所で（例えば大きなデパートメントストアで）同報通信することは望ましい。これは、一般に、ワイヤレス伝達システムを用いて達成される。
【０００３】
今日存在するワイヤレスシステムの多くは、複雑なシステムであり、無線周波数（ＲＦ）又は赤外光の何れかで動作する受信器端末を含む。一般的にこの装置は別個の電源を必要とし、このことは、全体的なシステムコストを増加させる。これは、この装置を大規模な配備にとって望ましくないものにする。
【発明の開示】
【発明が解決しようとする課題】
【０００４】
従って、情報を表示するための低コストなデバイスを提供する上記の欠点を克服するシステムを提供することが望ましい。
【課題を解決するための手段】
【０００５】
本発明の１つの側面は、パワー変換ユニット及び動作的にこのパワー供給ユニットに接続された中央制御ユニットを含む携帯型ワイヤレスデバイスを提供する。このデバイスは、更に、前記中央制御ユニットに動作的に接続された光検出／復調ユニット、データ記憶デバイス及び前記中央制御ユニットに動作的に接続されたディスプレイユニットを含んでもよい。
【０００６】
本発明の別の側面は、携帯型ワイヤレスデバイスに情報を表示するためのシステムを提供する。このシステムは、光信号を受信して、当該信号を電力に変換するための手段を含んでもよい。このシステムは、更に、前記光信号に埋め込まれたデータを復調するための手段を含んでもよい。このシステムは、更に、前記記憶デバイスのデータベースから情報メッセージを取得して、当該情報をディスプレイユニットに表示するための手段を含んでもよい。
【０００７】
本発明の別の側面は、携帯型ワイヤレスデバイスに情報を表示するための方法を提供する。光信号が、受信されて、電力に変換される。当該光信号に埋め込まれたデータが復調される。情報メッセージがデータ記憶デバイスから取得され、この情報は発光ポリマーディスプレイデバイスに表示される。
【発明を実施するための最良の形態】
【０００８】
図１は、本発明による携帯型ワイヤレスデバイスに情報を表示するためのシステムの１つの実施例を１００で示す。このシステムは、パワー変換ユニット１１０と、光検出／復調ユニット１２０と、中央制御ユニット１３０と、データ記憶デバイス１４０と、関連したドライバ回路を含むディスプレイユニット１５０とを含んでよい。デバイス１１０、１２０、１３０、１４０、１５０は、ワイヤ、光ファイバコネクタ又は当技術分野で知られる他のあらゆる適切な手段を用いて動作的に接続されていてよい。
【０００９】
パワー変換ユニット１１０は、いかなる光源から光信号を受信してもよい。光源は、天然でも人工でもよい。例えば、光は、大きいデパートメントストアで用いられる蛍光灯の光、朝の太陽光又は当技術分野で知られるあらゆる他の種類の光であってよい。
【００１０】
１つの実施例において、データを蛍光灯の出力に埋め込んで、変調された光信号上でデータを伝送することが、当技術分野で知られる種々の変調方法の１つによって達成されてもよい。このデータは、デジタル文字列であってもよく、情報を記憶装置のデータベースから取得することの命令を含んでもよい。光信号は、パワー変換ユニット１１０によって受信されることができ、当技術分野で知られるいかなる光変換デバイスによって電力に変換されてもよい。１つの実施例においては、光変換デバイスは太陽電池であってもよい。
【００１１】
この電力は、復調ユニット１２０に電力を提供するために用いられてもよく、この復調ユニット１２０は、フォトダイオード、光伝導体若しくは当技術分野で知られる他のあらゆる光検出デバイス、いかなる適切なハードウェア若しくはソフトウェア又はハードウェアとソフトウェアとの組合せであってもよい中央制御ユニット１３０、ディスプレイ１５０及び記憶デバイス１４０を含んでもよい。この電力の一部は、パワー変換ユニット１１０の一部である少なくとも１つの電池又はキャパシタに貯蔵されてもよい。電池又はキャパシタに貯蔵された電力は、受信される光パワーの短期の減少によるシステム停止を防止するためのバックアップ電力容量を提供することもできる。例えば、蛍光灯の光が遮断されるか又は弱まったら、光源が戻るまで又はバックアップ容量が枯渇するまでの間、バックアップ電力がシステムに解放されてもよい。
【００１２】
システムをオンにすると、光検出／復調ユニット１２０は、初期化シーケンスを開始して、入って来る光源が無いかの検査を開始する。光検出／復調ユニット１２０は、光源を検出してもよく、光信号を受信してもよい。光信号に埋め込まれたデータは、光検出／復調ユニット１２０によって検出され復調されることができる。本実施例においては、この復調されたデータは、情報メッセージ１４５をデータ記憶デバイス１４０から取得する中央制御ユニット１３０に対する命令１２５であってもよい。この取得された情報メッセージ１３５は、ディスプレイユニット１５０に送信されることができ、ここでこのメッセージが表示されることができる。例えば、１つの実施例において、情報メッセージは、デパートメントストアで現在セール中の商品を見つけるための道順を教える指示であってもよい。
【００１３】
図２は、本発明による携帯型ワイヤレスデバイスに情報を表示するためのシステムの携帯型ビデオ受信デバイス２００の１つの実施例を示す。携帯型ワイヤレスデバイスは、プラスチック基板２１０、少なくとも１つのディスプレイスクリーン２２０及びプリンタブルディスプレイドライバ回路２３０を含んでもよい。プラスチック基板２１０は、当技術分野で知られる方法を用いて設計され製造された可撓性材料であってよい。例えば、プラスチック基板は、プラスチックトランジスタ又は当技術分野で知られるあらゆる他の手段を用いてもよい。プリンタブル回路２３０は当技術分野で知られるあらゆる方法によってプラスチック基板２１０上へ直接製造されてもよく、ディスプレイスクリーン２２０は当技術分野で知られる方法によって発光ポリマーを用いて製造されてもよい。プリンタブルディスプレイドライバ回路２３０に電流が加わると、ディスプレイは発光し、プリンタブルディスプレイドライバ回路２３０を介して伝送される情報が発光ポリマーディスプレイスクリーン２２０に表示される。
【００１４】
図３は、本発明による携帯型ワイヤレスデバイスに情報を表示するためのシステムを制御するための方法の１つの実施例の流れ図を３００で示す。システムをオンにすると、パワー変換ユニット１１０は、伝送された光信号を探して受信することができる（ブロック３１０）。この光信号は、当技術分野で知られるいかなる種類の光であってもよい。例えば、光は、デパートメントストアで用いられる蛍光灯の光又は窓から差し込む光であってもよい。パワー変換ユニット１１０は、光信号を当技術分野で知られるあらゆる手段によって電力に変換することができ（ブロック３２０）、パワー変換ユニットに位置するエネルギー貯蔵デバイスにこの電力を貯蔵することができる。光検出／復調ユニット１２０は、光信号を連続的に探索することができる。この動作は、連続的なプロセスであってもよく、又は、光が伝送されたかチェックする周期的な「確認」によって達成されてもよい。１つの実施例において、システムが初期化される（即ち電力がシステムに加わる）と、光検出／復調ユニット１２０が作動され、光検出が達成される。光が検出されると、光検出／復調ユニット１２０は光信号に埋め込まれたデータを復調して（ブロック３３０）、中央制御ユニット１３０に復調されたデータを送信する（ブロック３４０）。中央制御ユニット１３０は、復調されたデータが光検出／復調ユニット１２０から受信されたか決定するように構成されてもよい。データが受信されたならば、中央制御ユニット１３０はデータが有効か決定する（ブロック３６０）。データの有効性は、データフォーマット、長さ又は当技術分野で知られる他のいかなる特性に基づいてもよい。例えば、データフォーマットはＡＳＣＩＩ文字ストリング又は他のデジタル若しくはバイナリのフォーマットであってもよい。１つの実施例において、データは情報メッセージを記憶装置１４０のデータベースから取得する命令であってもよい。メッセージが有効であると決定されたら、中央制御ユニットは情報メッセージをデータ記憶デバイス１４０から取得してもよい（ブロック３７０）。データベース記憶装置から取得され得た情報メッセージは、いかなる種類のメッセージであってもよく、テキストベース、グラフィックス又はいかなる他の種類の情報メッセージであってもよい。本実施例においては、情報メッセージは、デパートメントストアの商品への物理的な道順の指示であってもよい。この情報は、ディスプレイユニットスクリーン２２０に表示されるべくディスプレイユニット２２０に送信されてもよい（ブロック３８０）。
【００１５】
上記の通りに、携帯型ワイヤレスデバイスに情報を表示するためのシステムは、多くの利点を提供し、その幾つかは上述され、他の利点は本発明に内在するものである。また、ここの教示から逸脱することなく修正例が提案されることができる。従って、本発明の範囲は、添付の請求の範囲によってのみ制限されるべきである。
【００１６】
ここで開示された本発明の実施例が現在は好適であると考えられるが、本発明の精神及び範囲から逸脱することなく種々の変形及び修正がなされることができる。本発明の範囲は、添付の請求項に示されており、均等物の意味及び範囲内に入るいかなる変形例もここに含まれることが意図される。
【図面の簡単な説明】
【００１７】
【図１】本発明による携帯型ワイヤレスデバイスに情報を表示するためのシステムの１つの実施例の概略図である。
【図２】本発明による携帯型ワイヤレスデバイスに情報を表示するためのシステムの携帯型ビデオ受信デバイスの１つの実施例の概略図である。
【図３】本発明による携帯型ワイヤレスデバイスに情報を表示するためのシステムを制御するための方法の１つの実施例の流れ図である。
【図１】
2005524335.tif 000003
【図２】
2005524335.tif 000004
【図３】
2005524335.tif 000005
【国際調査報告】
2005524335.tif 000006
2005524335.tif 000007
2005524335.tif 000008
2005524335.tif 000009